(57)【要約】【課題】電解生成水を貯溜する貯溜タンクＢ，Ｃの下方前側に接続した各注出管路３７ａ，３７ｂが装置本体Ａのケース１０の下方前側に沿って水平に延びてケース１０を貫通して内部に延びるように配管されている電解水生成装置において、前記各注出管路３７ａ，３７ｂの前側管路部３７ａ1，３７ｂ1および同管路部に介装されている開閉弁４３ｅ，４３ｆを外部から保護する。【解決手段】ケース１０の下方の前側にアンダカバー１３を嵌合して取付けて、前側管路部３７ａ1，３７ｂ1および開閉弁４３ｅ，４３ｆを、アンダカバー１３のカバー本体１３ａで覆蓋する。【選択図】    図１
2010188287.tif 000002
【特許請求の範囲】
【請求項１】
ケース内に有隔膜電解槽を収納してなる装置本体と、前記有隔膜電解槽にて生成される電解生成酸性水を貯溜する第１の貯溜タンクと、前記有隔膜電解槽にて生成される電解生成アルカリ性水を貯溜する第２の貯溜タンクを備え、前記第１の貯溜タンク内に貯溜されている電解生成酸性水を専用の第１の注出管路を通して注出させるとともに、前記第２の貯溜タンク内に貯溜されている電解生成アルカリ性水を専用の第２の注出管路を通して注出させる電解水生成装置であり、前記第１の注出管路は前記第１の貯溜タンクにおける下方の前側部に接続されて前記ケースの前側部に沿って水平に延びるとともに同ケースを貫通して内部に延びるように配管され、かつ、前記第２の注出管路は前記第２の貯溜タンクにおける下方の前側部に接続されて前記ケースの前側部に沿って水平に延びるとともに同ケースを貫通して内部に延びるように配管されていて、前記第１の注出管路および前記第２の注出管路における前記ケースの外側に水平に延びる前側管路部が前記ケースの下方の前側部に嵌合して取付けられたアンダカバーのカバー本体にて覆蓋されていることを特徴とする電解水生成装置。
【請求項２】
請求項１に記載の電解水生成装置であって、前記ケース内に被電解水を調製する塩水を収容する塩水タンクが収納されている電解水生成装置であり、前記アンダカバーはカバー本体の上端部に後方へ上方傾斜して延びる庇部を備えていて、前記アンダカバーが前記ケースの下方の前側部に嵌合して取付けられた状態では、前記庇部が、前記塩水タンクが有する塩投入口の下方にて同塩投入口の前側縁部より後方に延びていることを特徴とする電解水生成装置。
【請求項３】
請求項１または２に記載の電解水生成装置であって、前記ケース内に余剰の電解生成酸性水を中和処理する中和剤を収容する中和槽が収納されている電解水生成装置であり、前記アンダカバーはカバー本体の上端部に後方へ上方傾斜して延びる庇部を備えていて、前記アンダカバーが前記ケースの下方の前側部に嵌合して取付けられた状態では、前記庇部が、前記中和槽が有する中和剤入口の下方にて同中和剤投入口の前側縁より後方に延びていることを特徴とする電解水生成装置。
【請求項４】
請求項１〜３のいずれか一項に記載の電解水生成装置であり、前記アンダカバーはカバー本体の左右両側に側壁を備えていることを特徴とする電解水生成装置。
【請求項５】
請求項２〜４のいずれか一項に記載の電解水生成装置であり、前記アンダカバーは、前記カバー本体と前記庇部とが曲げ加工にて一体的に形成されていることを特徴とする電解水生成装置。
【発明の詳細な説明】
【技術分野】
【０００１】
本発明は、電解水生成装置に関する。
【背景技術】
【０００２】
電解水生成装置の一形式として、ケース内に有隔膜電解槽を収納してなる装置本体と、有隔膜電解槽にて生成される電解生成酸性水を貯溜する第１の貯溜タンクと、有隔膜電解槽にて生成される電解生成アルカリ性水を貯溜する第２の貯溜タンクを備え、第１の貯溜タンク内に貯溜されている電解生成酸性水を専用の第１の注出管路を通して注出するとともに、第２の貯溜タンク内に貯溜されている電解生成アルカリ性水を専用の第２の注出管路を通して注出する形式の電解水生成装置がある（特許文献１および特許文献２を参照）。
【０００３】
ところで、当該形式の電解水生成装置においては、第１の注出管路および第２の注出管路の配管が問題となり、これら両注出管路の注出機能を損なうことなく、電解水生成装置の外観を損なうことがないように配管することが要請される。このため、特許文献１にて提案されている電解水生成装置においては、第１の注出管路を、第１の貯溜タンクにおける下方の前側部に接続してケースの前側部に沿って水平に延出するとともに同ケースを貫通して内部に延びるように配管し、同様に、第２の注出管路を、第２の貯溜タンクにおける下方の前側部に接続してケースの前側部に沿って水平に延出するとともに同ケースを貫通して内部に延びるように配管する構成が採られている。
【先行技術文献】
【特許文献】
【０００４】
【特許文献１】特開２０００−９５２２５号公報
【特許文献２】特開２００４−１０８３５６号公報
【発明の概要】
【発明が解決しようとする課題】
【０００５】
ところで、両注出管路を、特許文献１にて提案されている電解水生成装置にて採用されているように配管する場合には、両注出管路におけるケースの前側部に位置する前側管路部はケースの外に露出することになる。このため、当該露出部は、電解水生成装置の使用者、据付け作業者、管理者等によって誤って蹴られたり、当該前側管路部に誤って重量物を落下されたりするおそれがある。従って、本発明の第１の目的は、これらの問題に対処することにある。
【０００６】
また、当該形式の電解水生成装置においては、一般には、被電解水として食塩等の塩希薄水溶液が使用されるため、当該被電解水を調製する濃塩水を収容する塩水タンクがケース内に収納されている。また、当該形式の電解水生成装置においては、余剰の電解生成酸性水を中和槽内にて中和処理して中性の処理液として排水されるが、当該中和槽をケース内に収納することが有利である。これらの場合には、塩水タンク内の塩や中和槽内の中和剤は漸次消費されることになるため、塩や中和剤が所定量消費された時点で、これを塩水タンクや中和槽内に補充する必要がある。
【０００７】
塩の塩水タンク内への補充は、塩水タンクの上端部に設けた塩投入口を通して行われることになり、また、中和剤の中和槽内への補充は、中和槽の上端部に設けた中和剤投入口を通して行われることになる。このため、塩水タンクの塩投入口や中和槽の中和剤投入口は、塩や中和剤の投入を容易にすべく、ケース本体の前側開口部を開閉している開閉扉に近接するように形成される。
【０００８】
しかしながら、当該塩投入口を通して塩を投入する場合にあっても、また、当該中和剤投入口を通して中和剤を投入する場合にあっても、塩や中和剤は投入口からはみ出てケース内に落下するおそれが多い。ケース内に落下した塩や中和剤は、ケース自体や、ケース内に収納されている各種の金属製の構成部品や配管等に錆を発生させる原因となる。本発明の第２の目的は、本発明の第１の目的を達成する手段を利用して、これらの問題に対処することにある。
【課題を解決するための手段】
【０００９】
本発明は、電解水生成装置に関する。本発明が適用対象とする電解水生成装置は、ケース内に有隔膜電解槽を収納してなる装置本体と、前記有隔膜電解槽にて生成される電解生成酸性水を貯溜する第１の貯溜タンクと、前記有隔膜電解槽にて生成される電解生成アルカリ性水を貯溜する第２の貯溜タンクを備え、前記第１の貯溜タンク内に貯溜されている電解生成酸性水を専用の第１の注出管路を通して注出させるとともに、前記第２の貯溜タンク内に貯溜されている電解生成アルカリ性水を専用の第２の注出管路を通して注出させる形式の電解水生成装置である。
【００１０】
しかして、本発明に係る電解水生成装置においては、前記第１の注出管路は前記第１の貯溜タンクにおける下方の前側部に接続されて前記ケースの前側部に沿って水平に延びるとともに同ケースを貫通して内部に延びるように配管され、かつ、前記第２の注出管路は前記第２の貯溜タンクにおける下方の前側部に接続されて前記ケースの前側部に沿って水平に延びるとともに同ケースを貫通して内部に延びるように配管されていて、前記第１の注出管路および前記第２の注出管路における前記ケースの外側に露呈している前側管路部が前記ケースの下方の前側部に嵌合して取付けられたアンダカバーのカバー本体にて覆蓋されていることを特徴とするものである。
【００１１】
本発明に係る電解水生成装置においては、前記ケース内に被電解水を調製する塩水を収容する塩水タンクが収納されている場合には、前記アンダカバーのカバー本体の上端部に後方へ上方傾斜して延びる庇部を設けて、前記アンダカバーを前記ケースの下方の前側部に嵌合して取付けられた状態では、前記庇部を前記塩水タンクが有する塩投入口の下方にて同塩投入口の前側縁部より後方に延びる構成とすることができる。
【００１２】
また、本発明に係る電解水生成装置においては、前記ケース内に余剰の電解生成酸性水を中和処理する中和剤を収容する中和槽が収納されている場合には、前記アンダカバーのカバー本体の上端部に後方へ上方傾斜して延びる庇部を設けて、前記アンダカバーが前記ケースの下方の前側部に嵌合して取付けられた状態では、前記庇部を前記中和槽が有する中和剤入口の前側縁より後方に延びる構成とすることができる。
【００１３】
本発明に係る電解水生成装置に採用するアンダカバーについては、カバー本体の左右両側に側壁を備えているアンダカバーを採用することができ、また、前記カバー本体と前記庇部とを曲げ加工にて一体的に形成されたアンダカバーを採用することができる。
【発明の効果】
【００１４】
本発明に係る電解水生成装置においては、両注出管路におけるケースの前側部に水平に延びる前側管路部は、ケースの下方の前側部に嵌合して取付けられているアンダカバーのカバー本体にて覆蓋されているため、同カバー本体が当該前側管路部を、電解水生成装置の使用者、据付け作業者、管理者等による誤った蹴りや重量物の落下に対して防護する。また、このように防護機能を有するアンダカバーは、両注出管路におけるケースの前側部に水平に延びる前側管路部をカバー本体にて覆蓋することから、当該前側管路部の外側への露呈を防止し、電解水生成装置の外観を向上させる。
【００１５】
また、本発明に係る電解水生成装置であって、ケース内に塩水タンクや、余剰の電解生成酸性水を中和処理する中和剤を収容する中和槽を収納されている電解水生成装置にあっては、塩を塩水タンクの塩投入口を通して補充する場合や、中和剤を中和槽の中和剤投入口を通して補充する場合、塩や中和剤が投入口からはみ出て落下した場合には、アンダカバーの庇部が落下する塩や中和剤を受け止めまたは庇部の外面に沿って落下させて、ケース内への落下委を防止する。このため、ケース内に落下した塩や中和剤に起因する、ケース自体や、ケース内に収納されている金属製の各種の構成部品および配管等での錆の発生を防止することができる。
【図面の簡単な説明】
【００１６】
【図１】電解水生成装置の正面図である。
【図２】同電解水生成装置の左側の側面図（ａ）および右側の側面図（ｂ）である。
【図３】同電解水生成装置の構成を示す概略構成図である。
【図４】同電解水生成装置の開閉扉を取外した状態の一部を省略した斜視図ある。
【図５】同電解水生成装置の開閉扉および操作盤を取外した状態の一部を省略した斜視図である。
【図６】同電解水生成装置の一部を省略した縦断側面図である。
【図７】同電解水生成装置における図６の矢印７部位の拡大図である。
【図８】同電解水生成装置が装備する制御装置を示すブロック図である。
【図９】同電解水生成装置に使用されるアンダカバーの正面図（ａ）、平面図（ｂ）、底面図（ｃ）および縦断側面図（ｄ）である。
【発明を実施するための形態】
【００１７】
本発明は、電解水生成装置に関する。図１〜図３には、本発明に係る電解水生成装置の一実施形態を示している。また、図４は同電解水生成装置を構成する装置本体の開閉扉を取外した状態の一部を省略した斜視図、図５は装置本体の開閉扉および操作盤を取外した状態の一部を省略した斜視図、図６は当該電解水生成装置の一部を省略した縦断面図、図７は当該電解水生成装置における図６の矢印７部位の拡大図である。
【００１８】
当該電解水生成装置は、装置本体Ａと、電解生成酸性水を貯溜する第１の貯溜タンクＢと、電解生成アルカリ性水を貯溜する第２の貯溜タンクＣを備えている。装置本体Ａは、装置の主たる構成部品をケース１０内に配置して収納されているもので、支持台Ｄの中央部に設置されて取付けられている。また、第１の貯溜タンクＢは支持台Ｄにおける装置本体Ａの右側に設置されて取付けられ、第２の貯溜タンクＣは支持台Ｄにおける装置本体Ａの左側に設置されて取付けられている。
【００１９】
装置本体Ａを構成するケース１０は、左右の側部、後側部および上側部が閉鎖状態にあるケース本体１１と、ケース本体１１の前側開口部を開閉する開閉扉１２からなり、ケース本体１１内には、図３に示すように、軟水器２１、塩水タンク２２、一対の電解槽２３，２４、および、中和槽２５が配置されて収納されていて、これらの各構成部品は水系管路によって適宜接続されている。
【００２０】
装置本体Ａの主たる構成部品である各電解槽２３，２４は有隔膜電解槽であって、槽本体は隔膜にて区画された一対の電解室を備えている。各電解室は、電解運転が所定時間経過した時点で、その極性を正負反転するように制御され、陽極側電解室が陰極側電解室に切換えられるとともに、陰極側電解室が陽極側電解室に切換えられるように構成されている。
【００２１】
電解槽２３，２４を構成する各電解室の上流側には、被電解水の供給管路３１ａ，３１ｂが接続されており、各電解室の下流側には、各電解室にて生成される電解生成水を流出する流出管路３２ａ，３２ｂ、３３ａ，３３ｂがそれぞれ接続されている。各流出管路３２ａ，３２ｂは切換弁４１ａを介して導入管路３２ｃ，３２ｄに接続されており、各流出管路３３ａ，３３ｂは切換弁４１ｂを介して導入管路３３ｃ，３３ｄにそれぞれ接続されている。
【００２２】
電解槽２３側に接続されている導入管路３２ｃは、第１の貯溜タンクＢの側部上方に接続されていて、導入管路３２ｃには、電解槽２４側に接続されている導入管路３３ｃが接続されている。また、電解槽２３側に接続されている導入管路３２ｄは、第２電解生成水槽２４側に接続されている導入管路３３ｄに接続されていて、導入管路３３ｄは第２の貯溜タンクＣの側部上方に接続されている。
【００２３】
電解槽２３側の導入管路３２ｃは、電解生成酸性水の専用の導入管路であって、各電解槽２３，２４の陽極側電解室にて生成される電解生成酸性水を、第１の貯溜タンクＢ内に導入すべく機能する。また、電解槽２４側の導入管路３３ｄは、電解生成アルカリ性水の専用の導入管路であって、各電解槽２３，２４の陰極側電解室にて生成される電解生成アルカリ性水を、第２の貯溜タンクＣ内に導入すべく機能する。
【００２４】
各電解槽２３，２４においては、電解運転時、電解運転が設定された所定の時間継続された時点で、各電解室の極性が正負逆に反転される制御がなされるが、これと同期して、各切換弁４１ａ，４１ｂが切換動作して、電解槽２３側の各流出管路３２ａ，３２ｂと各導入管路３２ｃ，３２ｄとの接続関係が変更されるとともに、電解槽２４側の各流出管路３３ａ，３３ｂと各導入管路３３ｃ，３３ｄとの接続関係が変更される。
【００２５】
これにより、各電解槽２３，２４の各陽極側電解室にて生成される電解生成酸性水は、常に、導入管路３２ｃを通って第１の貯溜タンクB内に導入され、また、各電解槽２３，２４の各陰極側電解室にて生成される電解生成アルカリ性水は、常に、導入管路３３ｄを通って第２の貯溜タンクＣ内に導入されることになる。
【００２６】
各電解槽２３，２４に供給される被電解水は、軟水器２１を通って軟水化された原水に塩水タンク２２から設定された量の塩水を、パルスポンプ４２ａにより供給することにより調製される。水道管等の給水源に接続されている給水管路３４には、減圧弁４３ａおよび軟水器２１が介装されていて、給水管路３４の分岐管路部が塩水タンク２２に接続されている。分岐管路部には、開閉弁４３ｂが介装されている。また、塩水タンク２２は、塩水供給管路３５を介して給水管路３４の途中に接続されていて、塩水供給管路３４にはパルスポンプ４２ａが介装されている。
【００２７】
当該水系回路においては、給水管路３４には軟水化された原水が設定された所定の流量で流動し、流動する原水に塩水タンク２２にて調製された所定の高濃度の塩水がパルスポンプ４２ａにて設定された所定量継続して供給される。これにより、給水管路３４内にて被電解水（設定された所定濃度の希薄塩水）が調製され、調製された被電解水は、被電解水の供給管路３１ａ，３１ｂを通って各電解槽２３，２４に供給される。各電解槽２３，２４に供給された被電解水は、各電解槽２３，２４を流動する間に、各電解槽２３，２４の電解室内にて有隔膜電解される。
【００２８】
なお、当該電解水生成装置においては、各電解槽２３，２４を同時に電解運転することができるとともに、各電解槽２３，２４のいずれか一方を選択して電解運転することができる。このため、被電解水の供給管路３１ａ，３１ｂには、開閉弁４３ｃ，４３ｄがそれぞれ介装されていて、各電解槽２３，２４を同時に電解に供する場合には、各開閉弁４３ｃ，４３ｄを開いた状態として、各電解槽２３，２４に被電解水を同時に供給し得るようにする。また、各電解槽２３，２４のいずれか一方の電解槽を電解に供する場合には、各開閉弁４３ｃ，４３ｄのいずれか一方の開閉弁を開いた状態として、一方の電解槽にのみ被電解水が供給し得るようにする。
【００２９】
当該電解水生成装置が有する中和槽２５は、寒水石等の中和剤を収容されているもので、余剰の電解生成酸性水を中和処理して、塩素ガスが発生しない中性の処理液として排水すべく機能する。中和槽２５には、各貯溜タンクＢ，Ｃが有するオーバーフローパイプＢ1，Ｃ1に接続する流出管路３６ａ，３６ｂが接続されている。これにより、第１の貯溜タンクＢ内にてオーバーフローパイプＢ1を通ってオーバーフローする電解生成酸性水は流出管路３６ａを通って中和槽２５内に流入し、中和槽２５内の中和剤にて中和処理されて、中性の処理液として排水管路３６ｃを通って排水される。
【００３０】
また、第２の貯溜タンクＣ内にて、オーバーフローパイプＣ1を通ってオーバーフローする電解生成アルカリ性水は、流出管路３６ｂを通って中和槽２５内に流入するが、中和槽２５内では何等の処理もされることなく、そのままの状態で排水管路３６ｃを通って排水されることになる。
【００３１】
当該電解水生成装置においては、第１の貯溜タンクＢ内に貯溜されている電解生成酸性水は第１の注出管路３７ａを通して注出されて、消費者に供される。また、第２の貯溜タンクＣ内に貯溜されている電解生成アルカリ性水は第２の注出管路３７ｂを通して注出されて、消費者に供される。
【００３２】
第１の注出管路３７ａは、第１の貯溜タンクＢの下方の前側部にて接続されていて、ケース本体１１の下方の前側部に沿って水平に延びてケース本体１１の下方の前側部を貫通し、ケース本体１１の底部に沿って後方に延び、後方にて、ケース本体１１内を上方に延びてケース本体１１の上方の右側部に設けた吐出口部１１ａに接続されている。吐出口部１１ａには、当該電解水生成装置の設置時に、図示しない別の注出管路が接続される。当該注出管路は、消費者が使用する場所に延びていて、当該場所にて電解生成酸性水を注出する。
【００３３】
一方、第２の注出管路３７ｂは、第２の貯溜タンクＣの下方の前側部に接続されていて、ケース本体１１の下方の前側部に沿って水平に延びてケース本体１１の下方の前側部を貫通し、ケース本体１１の底部に沿って後方に延び、後方にて、ケース本体１１内を上方に延びてケース本体１１の上方の左側部に設けた吐出口部１１ｂに接続されている。吐出口部１１ｂには、当該電解水生成装置の設置時に、図示しない別の注出管路が接続される。当該注出管路は、消費者が使用する場所に延びていて、当該場所にて電解生成アルカリ性水を注出する。
【００３４】
なお、ケース本体１１の上方の右側部には通気口部１１ｃが設けられている。通気口部１１ｃには、電解生成酸性水の導入管路３２ｃに接続されている図示しない排気管路が接続されていて、導入管路３２ｃで発生するガスを排気すべく機能する。また、ケース本体１１の上方の左側部には通気口部１１ｄ，１１ｅが設けられている。通気口部１１ｄには、電解生成アルカリ性水の導入管路３３ｄに接続されている図示しない排気管路が接続されていて、導入管路３３ｄで発生するガスを排気すべく機能する。また、通気口部１１ｅには、中和槽２５の上方部に接続されている図示しない排気管路が接続されていて、中和槽２５で発生するガスを排気すべく機能する。
【００３５】
しかして、第１の注出管路３７ａには、注出ポンプ４２ｂと開閉弁４３ｅが介装されており、また、第２の注出管路３７ｂには、注出ポンプ４２ｃと開閉弁４３ｆが介装されている。当該電解水生成装置においては、第１の注出管路３７ａの開閉弁４３ｅを開いた状態で、注出ポンプ４２ｂを駆動すれば、第１の貯溜タンクＢ内に貯溜する電解生成酸性水が第１の注出管路３７ａを通して注出されて消費者に供される。また、第２の出管路３７ｂの開閉弁４３ｆを開いた状態で、注出ポンプ４２ｃを駆動すれば、第２の貯溜タンクＣ内に貯溜する電解生成アルカリ性水が第２の注出管路３７ｂを通して注出されて消費者に供される。
【００３６】
当該電解水生成装置においては、各注出ポンプ４２ｂ，４２ｃは、第１の注出管路３７ａ，３７ｂにおけるケース本体１１内の部位に介装されており、各開閉弁４３ｅ，４３ｆは、各注出管路３７ａ，３７ｂにおけるケース本体１１の下方の前側部に沿って水平に延びる部位の中間部（前側管路部３７ａ1，３７ｂ1）に介装されている。各開閉弁４３ｅ，４３ｆは、レバーの回動操作により開閉するレバー回動式の開閉弁であって、レバー４３ｅ1，４３ｆ1が管路部の頂部に位置するように介装されている。
【００３７】
このため、開閉弁４３ｅ，４３ｆのレバー４３ｅ1，４３ｆ1を管路部の頂部にて水平に回動操作すれば、開閉弁４３ｅ，４３ｆを開閉することができる。当該電解水生成装置では、当該レバー４３ｅ1，４３ｆ1が管路部に沿う平行位置にある状態が開閉弁４３ｅ，４３ｆが開いている状態に設定されていて、当該レバー４３ｅ1，４３ｆ1を回動して管路部に対して略直交する交差状態にした状態で開閉弁４３ｅ，４３ｆが閉じるようになっている。ケース本体１１における下方の前側部には、アンダカバー１３が嵌合して脱着可能に取付けられている。
【００３８】
アンダカバー１３は、各注出管路３７ａ，３７ｂにおけるケース本体１１の下方の前側部に水平に位置する管路部（前側管路部３７ａ1，３７ｂ1）、および、前側管路部３７ａ1，３７ｂ1に介装されている開閉弁４３ｅ，４３ｆをカバーして保護すべく機能するとともに、当該電解水生成装置の外観を向上すべく機能する。アンダカバー１３は脱着容易であって、開閉弁４３ｅ，４３ｆはアンダカバー１３を取外した状態で開閉操作でき、開閉弁４３ｅ，４３ｆが閉じた状態では、レバー４３ｅ1，４３ｆ1が管路部に対して略直交状に前方に突出していることから、アンダカバー１３をケース本体１１に取付けることができない。アンダカバー１３をケース本体１１に取付けるには、レバー４３ｅ1，４３ｆ1を回動操作して管路部に対して平行にした開閉弁４３ｅ，４３ｆが開いた状態にする必要がある。
【００３９】
当該電解水生成装置は、図８に示す制御装置５０を備えている。制御装置５０は、当該電解水生成装置の電解運転、各貯溜タンクＢ，Ｃ内への各電解生成水の導入、各貯溜タンクＢ，Ｃからの各電解生成水の注出、および、中和槽２５における中和処理を制御する。図８には、当該制御装置５０の制御回路を概略的に示している。
【００４０】
制御装置５０はマイクロコンピュータであって、ＣＰＵおよび駆動回路を備えている。制御装置５０は、電解運転時には、パルスポンプ４２ａを駆動して給水管路３４内を流動する軟水化された原水に設定された濃度の塩水を設定された量だけ継続して供給して、設定された濃度の希薄塩水（被電解水）を調製する。また、制御装置５０は、電解運転時、運転者の電解モードの選択の指令に基づき開閉弁４３ｃ，４３ｄを開閉動作して、各電解槽２３，２４の同時の電解運転と、各電解槽２３，２４のいずれか一方の電解運転との電解モードを選択する。
【００４１】
制御装置５０は、電解運転時、電解槽２３，２４の各電解室の極性の正負反転の指令に基づき、各電解室のうち、陽極側電解室を陰極側電解室に、陰極側電解室を陽極側電解室にそれぞれ変更し、これに同期して、切換弁４１ａ，４１ｂを切換動作させる。これにより、制御装置５０は、電解槽２３，２４の陽極側電解室にて生成された電解生成酸性水を、常に導入管路３２ｃを通して第１の貯溜タンクＢ内に導入させ、また、電解槽２３，２４の陰極側電解室にて生成された電解生成アルカリ性水を、常に導入管路３３ｄを通して第２の貯溜タンクＣ内に導入させる。
【００４２】
各貯溜タンクＢ，Ｃ内にはフロートスイッチＢ2，Ｃ2が配設されていて、オーバーフローパイプＢ1，Ｃ1と共働して、各貯溜タンクＢ，Ｃ内の電解生成水を設定された一定量に維持する。電解生成酸性水と電解生成アルカリ性水は、電解運転時には同期的に生成されて、各貯溜タンクＢ，Ｃ内には略同量導入される。制御装置５０は、各貯溜タンクＢ，Ｃ内に貯溜された各電解生成水が同量となって、両フロートスイッチＢ2，Ｃ2が満タンに達したことを検知した場合には、電解槽２３，２４の電解運転を停止する。また、制御装置５０は、各貯溜タンクＢ，Ｃの少なくとも一方の貯溜タンク内の電解生成水が設定された所定量消費された場合、これを検知したフロートスイッチの検出信号に基づき電解運転を再開して、両貯溜タンクＢ，Ｃ内に各電解生成水を導入して補充する。
【００４３】
制御装置５０は、消費者による電解生成水の注出指令に基づき、消費者が選択した電解生成水側の注出ポンプを駆動して選択された電解生成水を専用の注出管路を通して注出させる。制御装置５０は、消費者が電解生成酸性水を選択した場合には、第１の貯溜タンクＢ内の電解生成酸性水を第１の注出管路３７ａを通して注出し、また、消費者が電解生成アルカリ性水を選択した場合には、第２の貯溜タンクＣ内の電解生成アルカリ性水を第２の注出管路３７ｂを通して注出する。電解生成水の注出については、所定時間経過した時点で自動的に停止させることができるとともに、消費者の手動による停止操作によっても停止させることができる。
【００４４】
ところで、当該電解水生成装置においては、第１の貯溜タンクＢ内に貯溜されている電解生成酸性水の消費量と、第２の貯溜タンクＣ内に貯溜されている電解生成アルカリ性水の消費量とに差が生じて、両貯溜タンクＢ，Ｃの一方のみの電解生成水が設定された所定の消費量に達する場合がある。本発明では、当該貯溜タンクを便宜上空タン状態にある貯溜タンクと称する。この場合には、空タン状態になったことをフロートスイッチが検出すると、制御装置５０はその検出信号に基づき電解運転を開始して、両貯溜タンクＢ，Ｃ内に各電解生成水を導入する。
【００４５】
このため、各貯溜タンクＢ，Ｃ内には各電解生成水が導入されて貯溜タンクＢ，Ｃ内が満タン状態となるが、空タンク状態を呈していなかった貯溜タンクの方が空タンク状態を呈していた貯溜タンクよりも先に満タン状態となる。この結果、先に満タン状態となった貯溜タンクからは、その後に導入される電解生成水に応じて、余剰の電解生成水がオーバーフローパイプからオーバーフローして排水管路を通して中和槽２５内に流入することになる。
【００４６】
例えば、第１の貯溜タンクＢ内が早く満タン状態となった場合には、第１の貯溜タンクＢ内の電解生成酸性水が排水管路３６ａを通して中和槽２５内に流入し、中和槽２５内に収容されている寒水石等の中和剤にて中和処理されて、中性の処理液として排水管路３６ｃを通して排水される。また、第２の貯溜タンクＣ内が早く満タン状態となった場合には、第２の貯溜タンクＣ内の電解生成アルカリ性水が排水管路３６ｂを通して中和槽２５内に流入し、中和槽２５内では何等処理されることなく、そのまま排水管路３６ｃを通して排水される。
【００４７】
従って、電解生成酸性水が第１の貯溜タンクＢ内から流入して中和槽２５内に流入する場合には、中和槽２５内に収容されている中和剤は、第１の貯溜タンクＢ内から流入する電解生成酸性水の量（余剰量）に応じて消費されることになり、中和剤が所定量消費された時点では、中和剤を中和槽２５内に補充する必要がある。しかしながら、当該電解水生成装置においては、中和槽２５が開閉扉１２に閉鎖されているケース本体１１内に配設されていることから、中和槽２５内の中和剤の量を外部から視認することは困難であり、中和剤の補充タイミングを失することが起こり得る。
【００４８】
当該電解水生成装置においては、かかる問題に対処する手段を備えている。当該電解水生成装置では、装備する制御装置５０を、中和剤の消費量を中和槽２５内に流入された電解生成酸性水の量から算出する機能と、中和剤が設定量消費されたことを認知させる認知手段を駆動する機能を有する構成としている。さらには、当該電解水生成装置が装備する制御装置５０を、中和槽２５内の中和剤が設定量消費されたことを認知させる認知手段を駆動し、かつ、中和剤が設定された消費量限界に達したときには有隔膜電解槽２３，２４の電解運転を停止する機能を有する構成としている。
【００４９】
当該電解水生成装置では、制御装置５０は、第１の貯溜タンクＢ内が満水になったことを検出したフロートスイッチＢ2からの検出信号に基づき、満水時点からの電解運転の継続時間と電解生成水の生成流量から中和槽２５内に流入した余剰の電解生成酸性水量を算出するとともに、余剰の電解生成酸性水量から中和槽２５内の中和剤の消費量を算出する。刻々算出される中和剤の消費量が設定された消費量に達した時点で、制御装置５０は操作盤に設置されている認知手段、例えば警告ランプＥを点灯して、当該電解水生成装置の管理者に、中和剤を補充すべきタイミングを認知させる。
【００５０】
このため、当該管理者は、警告ランプＥの点灯により中和剤の補充タイミングを認知して、中和槽２５に所定量の中和剤を補充する。これにより、中和槽２５内に中和剤が存在しない状態での電解運転を回避することができる。なお、本実施形態では、認知手段として警告ランプＥを使用しているが、認知手段としては公知の適宜の警告手段を採ることができ、例えば、警告ブザー等は認知手段としては極めて有効である。
【００５１】
また、当該管理者が警告ランプＥの点灯に気付かず、または、警告ランプＥの点灯を認知したにも関わらず中和剤の補充を忘れる場合があり、この場合には、制御装置５０は以下のように機能する。制御装置５０は、中和槽２５内の中和剤が設定された所定の消費量に達した後に、中和剤が消費量限界に達したときには、有隔膜電解槽２３，２４の電解運転を緊急停止させる。これにより、中和槽２５内に中和剤が存在しない状態での電解運転を確実に回避することができる。
【００５２】
しかして、当該電解水生成装置にて採用されているアンダカバー１３は、各注出管路３７ａ，３７ｂにおけるケース１０の下方の前側部に水平に位置する前側管路部３７ａ1，３７ｂ1を覆蓋する機能のみならず、塩水タンク２２内に塩を補充する際に、塩投入口２２ａからはみ出てケース１０内に落下する塩、および、中和槽２５内に中和剤を補充する際に、中和剤投入口２５ｂからはみ出てケース１０内に落下する中和剤を排除する機能を持たせている。図７および図９には当該アンダカバー１３を示している。
【００５３】
アンダカバー１３は、カバー本体１３ａと、庇部１３ｂと、左右の側板１３ｃとにより構成されている。カバー本体１３ａは、倒立Ｌ字状の断面の主体部１３ａ1と、主体部１３ａ1の下端から後方にわずかに延びる内向フランジ部１３ａ2とからなり、主体部１３ａ1の左右の側部には各側板１３ｃが一体的に設けられている。各側板１３ｃは、その側面に各注出管路３７ａ，３７ｂが嵌合する嵌合穴１３ｃ1を備えている。また、庇部１３ｂは、垂直に延びる起立部１３ｂ1と、起立部１３ｂ1の上端から後方へ上方傾斜して延びている傾斜部１３ｂ2とからなるくの字状断面を呈するもので、カバー本体１３ａの主体部１３ａ1における上側部の後縁に一体的に設けられている。
【００５４】
当該アンダカバー１３においては、ケース本体１１における下方の前側部に嵌合して取付けた状態では、図１および図７に示すように、両注出管路３７ａ，３７ｂの前側管路部３７ａ1，３７ｂ1、および、前側管路部３７ａ1，３７ｂ1に介装されている両開閉弁４３ｅ，４３ｆを覆蓋して、開閉扉１２の下端の下方に位置する。
【００５５】
当該電解水生成装置を構成する装置本体Ａにおいては、図４〜図６に示すように、塩水タンク２２はケース本体１１内の略中央部にて支持されて位置していて、塩水タンク２２の上側開口部である塩投入口２２ａの前側縁部がケース本体１１の前側開口部に近接している。また、中和槽２５はケース本体１１内の塩水タンク２２の下方にて前方へ若干傾斜した起立状態に支持されて位置していて、中和槽２５の上側傾斜面２５ａに設けた中和剤投入口２５ｂがケース本体１１の前側開口部に近接して、前方に向かって上方傾斜して開口している。
【００５６】
一方、ケース本体１１の前側開口部に設けた上下一対の桟１４ａ，１４ｂに脱着可能に掛止した操作盤１５には、盤本体１５ａの下側部に後方へ屈曲して下方に延びる角筒状で大径の投入筒１５ｂが設けられている。当該投入筒１５ｂは、その下端側開口部が塩水タンク２２の塩投入口２２ａの上縁部に臨み、その上端開口部が、盤本体１５ａに設けた開閉扉１５ｃにて開閉されるようになっている。
【００５７】
アンダカバー１３は、当該電解水生成装置を構成する装置本体Ａのケース本体１１における下方の前側部に嵌合して取付けられた状態では、その庇部１３ｂが中和槽２５の前側傾斜面の近傍に延びていて、中和槽２５の上側傾斜面２５ａにおける中和剤投入口２５ｂより後方に位置しており、また、塩水タンク２２に対しては、塩投入口２２ａの前側縁部より後方に位置している。
【００５８】
このように、当該電解水生成装置においては、両注出管路３７ａ，３７ｂにおけるケース本体１１の前側部に水平に延びる前側管路部３７ａ1，３７ｂ1は、ケース本体１１の下方の前側部に嵌合して取付けられているアンダカバー１３のカバー本体１３ａにて覆蓋されているため、カバー本体１３ａが前側管路部３７ａ1，３７ｂ1を、電解水生成装置の使用者、据付け作業者、管理者等による誤った蹴りや、重量物の落下に対して防護する。また、このように防護するアンダカバー１３ａは、両注出管路３７ａ，３７ｂにおけるケースの前側管路部３７ａ1，３７ｂ1をカバー本体１３ａで覆蓋していることから、前側管路部３７ａ1，３７ｂ1の外側への露呈を防止し、電解水生成装置の外観を向上させる。
【００５９】
また、前側管路部３７ａ1，３７ｂ1に介装される開閉弁として、レバー回動式の開閉弁４３ｅ，４３ｆであって、レバー４３ｅ1，４３ｆ1が管路部の頂部に位置するように介装されて、レバー４３ｅ1，４３ｆ1が管路部に沿う平行状態を開状態に、かつ、管路部に対して略直交する交差状態を閉状態に設定されているものを採用している場合には、レバー４３ｅ1，４３ｆ1が管路部に沿う平行位置にある開状態にある場合にはアンダカバー１３を取付けることができるが、管路部に対して略直交する閉状態にある場合にはアンダカバー１３を取付けることができない。このため、当該電解水生成装置においては、アンダカバー１３を取外して各開閉弁４３ｅ，４３ｆを閉鎖した後の各開閉弁４３ｅ，４３ｆの開放忘れを確実に防止することができる。
【００６０】
当該電解水生成装置においては、塩水タンク２２内に収容されている食塩等の塩が所定量消費された場合には、また、中和槽２５内に収容されている中和剤が所定量消費された場合には、塩水タンク２２内に塩を補充し、また、中和槽２５内に中和剤を補充する必要がある。
【００６１】
塩水タンク２２内への塩の補充は、操作盤１５に設けた開閉扉１５ｃを開いた状態で投入筒１５ｂを通して行う。塩水タンク２２の投入口部２２ａを開いて、投入筒１５ｂを通して塩を投入すれば、投入筒１５ｂを通して投入した塩のほとんどは、塩投入口２２ａを通して塩水タンク２２内に投入されて補充されるが、投入筒１５ｂを通して投入した塩のわずかの量は、塩投入口２２ａからはみ出て落下する。
【００６２】
しかしながら、塩投入口２２ａからはみ出た塩はアンダカバー１３の庇部１３ｂに沿って落下して受承され、ケース本体１１内に落下することはない。このため、ケース本体１１内に落下した塩に起因する、ケース本体１１自体や、ケース本体１１内に収納されている金属製の各種の構成部品、配管等における錆の発生は防止されることになる。
【００６３】
また、中和槽２５内への中和剤の補充は、中和槽２５の中和剤投入口２５ｂを開放し、開放された中和剤投入口２５ｂを通して投入する。これにより、投入される中和剤のほとんどは中和剤投入口２５ｂを通して中和槽２５内に投入されて補充されるが、投入した中和剤のわずかの量は、中和剤投入口２５ｂからはみ出て落下する。
【００６４】
しかしながら、中和剤投入口２５ｂからはみ出た中和剤はアンダカバー１３の庇部１３ｂに沿って落下して受承され、ケース本体１１内に落下することはない。このため、ケース本体１１内に落下した中和剤に起因する、ケース本体１１自体やケース本体１１内に収納されている各種の構成部品、配管等における錆の発生は防止されることになる。
【符号の説明】
【００６５】
Ａ…装置本体、Ｂ…第１の貯溜タンク、Ｃ…第２の貯溜タンク、Ｂ1，Ｃ1…オーバーフローパイプ、Ｂ2，Ｃ2…フロートスイッチ、Ｄ…支持台、Ｅ…警告ランプ、１０…ケース、１１…ケース本体、１１ａ，１１ｂ…吐出口部、１１ｃ，１１ｄ，１１ｅ…通気口部、１２…開閉扉、１３…アンダカバー、１３ａ…カバー本体、１３ａ1…主体部、１３ａ2…内向フランジ部、１３ａ3…上面部、１３ｂ…庇部、１３ｂ1…起立部、１３ｂ2…傾斜部、１３ｃ…側板、１３ｃ1…嵌合穴、１４ａ，１４ｂ…桟、１５…操作盤、１５ａ…盤本体、１５ｂ…投入筒、１５ｃ…開閉扉、２１…軟水器、２２…塩水タンク、２２ａ…塩投入口、２３，２４…電解槽、２５…中和槽、２５ａ…上側傾斜面、２５ｂ…中和剤投入口、３２ａ，３２ｂ，３３ａ，３３ｂ…電解生成水の流出管路、３２ｃ，３２ｄ，３３ｃ，３３ｄ…導入管路、３４…給水管路、３５…塩水供給管路、３６ａ，３６ｂ…排水管路、３７ａ…第１の注出管路、３７ｂ…第２の注出管路、３７ａ1，３７ｂ1…前側管路部、４１ａ，４１ｂ…切換弁、４２ａ…パルスポンプ、４２ｂ，４２ｃ…注出ポンプ、４３ａ…減圧弁、４３ｂ，４３ｃ，４３ｄ…開閉弁、４３ｅ，４３ｆ…開閉弁、４３ｅ1，４３ｆ1…レバー、５０…制御装置。
【図１】
2010188287.tif 000003
【図２】
2010188287.tif 000004
【図３】
2010188287.tif 000005
【図４】
2010188287.tif 000006
【図５】
2010188287.tif 000007
【図６】
2010188287.tif 000008
【図７】
2010188287.tif 000009
【図８】
2010188287.tif 000010
【図９】
2010188287.tif 000011